(57)【要約】  【課題】  携帯性やデザイン性に優れ、ドラムやパーカッションなどを始めとした打楽器の本格的な演奏が楽しめる携帯型楽器端末を提供する。  【解決手段】  携帯型楽器端末１０を、本体部２１及び蓋部２２がヒンジ部２３によって開閉可能な折り畳み構造とし、軸部２４によって回動可能なへら状部材２５を本体部に取り付ける。また、本体部、蓋部、へら状部材のそれぞれには、打撃用パッド２６ａ〜２６ｃが取り付けられて、携帯型楽器端末を開いて、へら状部材を回動させることによって、すべての打撃用パッドが略同一方向を向いて、三方に広がる形状とすることが可能である。【選択図】  図７
2005084503.tif 000002
【特許請求の範囲】
【請求項１】
持ち運び可能な携帯型楽器端末であって、
打撃面を有しており、前記打撃面に対する外部からの打撃を検知して打撃検知信号を出力する複数の打撃入力手段と、
前記複数の打撃入力手段のそれぞれに対応し、前記打撃入力手段から供給される前記打撃検知信号に基づいて前記打撃の強さを検出する複数の打撃検出手段と、
前記複数の打撃入力手段のそれぞれに対応する音声データを生成し、前記打撃検出手段で検出された前記打撃の強さに基づいて前記音声データの音圧レベルを決定する音声データ処理手段と、
前記音圧レベルに従って、前記音声データ処理手段によって生成された音声データに係る音声を外部に出力する音声出力手段とを有し、
前記打撃入力手段が収納されるコンパクトな形状から、前記複数の打撃入力手段のそれぞれが有する前記打撃面のすべてが、略同一方向に向く形状となるよう構成されている携帯型楽器端末。
【請求項２】
当該携帯型楽器端末の筐体に回動可能な状態で軸支されている部材を有し、前記複数の打撃入力手段のうちの少なくとも１つが前記部材に設けられている請求項１に記載の携帯型楽器端末。
【請求項３】
前記打撃入力手段を収納するための収納部材を有しており、前記複数の打撃入力手段のうちの少なくとも１つが前記収納部材に収納されるよう構成されている請求項１又は２に記載の携帯型楽器端末。
【請求項４】
前記収納部材に収納される前記打撃入力手段で検知された打撃検知信号を無線信号として送信するための近距離無線送信手段と、
当該携帯型楽器端末の筐体内部に設けられ、前記近距離無線送信手段からの前記無線信号を受信するための近距離無線受信手段とを有し、
当該携帯型楽器端末の筐体から離れた場所に設置された前記打撃入力手段からの前記打撃検知信号に基づいて、前記筐体に取り付けられた音声出力手段から音声を出力することができるよう構成されている請求項３に記載の携帯型楽器端末。
【請求項５】
前記複数の打撃入力手段のそれぞれと、前記音声出力手段から出力される音声の音色及び音程との対応関係を格納する情報格納手段を有する請求項１から４のいずれか１つに記載の携帯型楽器端末。
【請求項６】
ユーザが、前記音声の音色及び音程を設定するための操作手段を有する請求項５に記載の携帯型楽器端末。
【請求項７】
前記打撃入力手段が前記打撃面への打撃箇所を検知して検知結果を出力し、前記音声データ処理手段が、前記検知結果に基づいて前記音声データの生成及び前記音声データの前記音圧レベルの決定を行うよう構成されている請求項１から６のいずれか１つに記載の携帯型楽器端末。
【請求項８】
外部ネットワークとの通信を行うための通信手段を有し、前記通信手段を介して、所定の通信装置との間で前記音声データの送受信を行うよう構成されている請求項１から７のいずれか１つに記載の携帯型楽器端末。
【請求項９】
前記所定の打撃面に対する外部からの打撃パターンと、当該携帯楽器端末における処理との対応関係に係る情報を格納する情報格納手段を有する請求項１から８のいずれか１つに記載の携帯型楽器端末。
【発明の詳細な説明】
【技術分野】
【０００１】
本発明は、携帯電話機やＰＨＳ（Personal Handy-phone System）、ＰＤＡ（Personal Digital Assistance）などを始めとした持ち運び可能な携帯端末に、さらに、本格的な演奏を楽しめる楽器の機能を付加した携帯型楽器端末に関する。
【背景技術】
【０００２】
現在、携帯電話機、ＰＨＳ、ＰＤＡなどの携帯端末には、通話機能や情報表示機能などに加え、様々な機能が付加されてきており、ますます多機能化してきている。
【０００３】
一方、より多くの人が使いやすくなるように、携帯端末の情報入力インターフェイスなどにも工夫が加えられつつある。例えば、下記の特許文献１には、携帯端末の裏面にパッドが取り付けられ、ユーザがそのパッドを叩くと、ドラム音を発生するとともに、例えば、電話をかける処理が開始されるなど、所定の処理が行われるよう構成され、手の不自由な人や眼の不自由な人でも簡単に電話をかけることができるようにした携帯端末が開示されている。
【特許文献１】特開２００３−１２５０６２号公報（図２）
【発明の開示】
【発明が解決しようとする課題】
【０００４】
しかしながら、上記の特許文献１に開示されている携帯端末は、主として携帯端末における入力操作を容易にすることを目的とするものであり、ドラム音を発生する楽器としての機能を有してはいるものの、より本格的な演奏を楽しめる楽器端末として利用できるものではない。特に、従来のドラムやパーカッションは、スネアタムを始めとする複数のタム、さらには、ハイハット、バスドラム（フットバス）、シンバル、カウベルなど、多数の異なる音色を発する打撃部が所定の配置に並べられている。したがって、従来のドラムやパーカッションにより近い本格的な演奏を楽しめる小型の楽器端末を実現するためには、多数の打撃部を演奏しやすい形態に配置する必要がある一方で、多数の打撃部の配置によって携帯性やデザイン性が損なわれないようにする必要もある。
【０００５】
上記問題を解決するため、本発明は、携帯性やデザイン性に優れ、ドラムやパーカッションなどを始めとした打楽器の本格的な演奏が楽しめる携帯型楽器端末を提供することを目的とする。
【課題を解決するための手段】
【０００６】
上記目的を達成するため、本発明の携帯型楽器端末は、持ち運び可能な携帯型楽器端末であって、
打撃面を有しており、前記打撃面に対する外部からの打撃を検知して打撃検知信号を出力する複数の打撃入力手段と、
前記複数の打撃入力手段のそれぞれに対応し、前記打撃入力手段から供給される前記打撃検知信号に基づいて前記打撃の強さを検出する複数の打撃検出手段と、
前記複数の打撃入力手段のそれぞれに対応する音声データを生成し、前記打撃検出手段で検出された前記打撃の強さに基づいて前記音声データの音圧レベルを決定する音声データ処理手段と、
前記音圧レベルに従って、前記音声データ処理手段によって生成された音声データに係る音声を外部に出力する音声出力手段とを有し、
前記打撃入力手段が収納されるコンパクトな形状から、前記複数の打撃入力手段のそれぞれが有する前記打撃面のすべてが、略同一方向に向く形状となるよう構成されている。
この構成により、携帯性やデザイン性に優れ、ドラムやパーカッションなどを始めとした打楽器の本格的な演奏が楽しめる携帯型楽器端末を実現することが可能となる。
【０００７】
さらに、本発明の携帯型楽器端末は、当該携帯型楽器端末の筐体に回動可能な状態で軸支されている部材を有し、前記複数の打撃入力手段のうちの少なくとも１つが前記部材に設けられている。
この構成により、携帯型楽器端末の筐体に対して、打撃入力手段の位置を変えることが可能となり、打撃入力手段の収納時又は使用時に、携帯型楽器端末を望ましい形状となるようにすることが可能となる。
【０００８】
さらに、本発明の携帯型楽器端末は、前記打撃入力手段を収納するための収納部材を有しており、前記複数の打撃入力手段のうちの少なくとも１つが前記収納部材に収納されるよう構成されている。
この構成により、打撃入力手段を収納部材内に収納し、携帯型楽器端末全体をコンパクトな形状とすることが可能となる。
【０００９】
さらに、本発明の携帯型楽器端末は、前記収納部材に収納される前記打撃入力手段で検知された打撃検知信号を無線信号として送信するための近距離無線送信手段と、
当該携帯型楽器端末の筐体内部に設けられ、前記近距離無線送信手段からの前記無線信号を受信するための近距離無線受信手段とを有し、
当該携帯型楽器端末の筐体から離れた場所に設置された前記打撃入力手段からの前記打撃検知信号に基づいて、前記筐体に取り付けられた音声出力手段から音声を出力することができるよう構成されている。
この構成により、当該携帯型楽器端末の筐体から打撃入力手段を取り外して離れた場所に置いても、打撃入力手段に与えられた打撃に対応した音声が出力されるようになる。
【００１０】
さらに、本発明の携帯型楽器端末は、前記複数の打撃入力手段のそれぞれと、前記音声出力手段から出力される音声の音色及び音程との対応関係を格納する情報格納手段を有している。
この構成により、複数の打撃入力手段のそれぞれに係る音声が異なるように設定できるとともに、様々な打楽器に対応した音色や音程の音声を出力することが可能となる。
【００１１】
さらに、本発明の携帯型楽器端末は、ユーザが、前記音声の音色及び音程を設定するための操作手段を有している。
この構成により、ユーザ自身が音色や音程の調整を行うことが可能となり、ユーザの好みに合った音色や音程を実現し、より本格的な打楽器の機能を実現することが可能となる。
【００１２】
さらに、本発明の携帯型楽器端末は、前記打撃入力手段が前記打撃面への打撃箇所を検知して検知結果を出力し、前記音声データ処理手段が、前記検知結果に基づいて前記音声データの生成及び前記音声データの前記音圧レベルの決定を行うよう構成されている。
この構成により、打撃面上の打撃箇所に応じて異なる音色や音量の音声を出力することができ、より本格的かつ実際の打楽器に近い音を実現することが可能となる。
【００１３】
さらに、本発明の携帯型楽器端末は、外部ネットワークとの通信を行うための通信手段を有し、前記通信手段を介して、所定の通信装置との間で前記音声データの送受信を行うよう構成されている。
この構成により、無線通信によって、所定の通信装置との間で音声データをやり取りすることが可能となり、例えば、無線通信を介したセッションを行うことも可能となる。
【００１４】
さらに、本発明の携帯型楽器端末は、前記所定の打撃面に対する外部からの打撃パターンと、当該携帯楽器端末における処理との対応関係に係る情報を格納する情報格納手段を有している。
この構成により、ユーザは、打撃面への打撃によって様々な内部処理の起動指示を行うことが可能となり、さらに、特定の打撃パターンをパスフレーズとした特定の内部処理の起動管理などを実現することも可能となる。
【発明の効果】
【００１５】
本発明の携帯型楽器端末は、持ち運び可能な携帯型楽器端末であって、
打撃面を有しており、前記打撃面に対する外部からの打撃を検知して打撃検知信号を出力する複数の打撃入力手段と、
前記複数の打撃入力手段のそれぞれに対応し、前記打撃入力手段から供給される前記打撃検知信号に基づいて前記打撃の強さを検出する複数の打撃検出手段と、
前記複数の打撃入力手段のそれぞれに対応する音声データを生成し、前記打撃検出手段で検出された前記打撃の強さに基づいて前記音声データの音圧レベルを決定する音声データ処理手段と、
前記音圧レベルに従って、前記音声データ処理手段によって生成された音声データに係る音声を外部に出力する音声出力手段とを有し、
前記打撃入力手段が収納されるコンパクトな形状から、前記複数の打撃入力手段のそれぞれが有する前記打撃面のすべてが、略同一方向に向く形状となるよう構成されているので、携帯性やデザイン性に優れ、ドラムやパーカッションなどを始めとした打楽器の本格的な演奏が楽しめる携帯型楽器端末を実現することが可能となる。
【発明を実施するための最良の形態】
【００１６】
以下、図面を参照しながら、本発明の第１〜第４の実施の形態における携帯型楽器端末について説明する。図１は、本発明の第１〜第４の実施の形態に共通する携帯型楽器端末の内部構成を示すブロック図である。図１に示す携帯型楽器端末１０は、ＣＰＵ（Central Processing Unit）１１、ＲＯＭ（Read Only Memory）１２、ＲＡＭ（Random Access Memory）１３、操作部１４、表示部１５、音声入力部１６、音声出力部１７、送受信部１８、複数の打撃入力部１９ａ〜１９ｎ、複数の打撃検出部２０ａ〜２０ｎにより構成されている。
【００１７】
ＣＰＵ１１は、携帯型楽器端末１０内の主な制御や、各構成要素の動作制御を行う手段である。例えば、送受信部１８における通信データの生成処理や、複数の打撃検出部２０ａ〜２０ｎで検出された打撃に係る音声データの生成処理なども、このＣＰＵ１１により行われる。また、ＲＯＭ１２及びＲＡＭ１３は、携帯型楽器端末１０で動作するプログラム、表示部１５を用いて表示する画像データ（静止画データ及び動画データ）、音声出力部１７を用いて出力する音声データなどを格納するデータ格納手段である。
【００１８】
また、操作部１４は、ユーザによる携帯型楽器端末１０の操作や情報入力を可能とするものであり、携帯型楽器端末１０の筐体に設置されたプッシュボタンや、プッシュボタンの押下を電気信号に変換するインターフェイスなどを含むものである。また、表示部１５は、ユーザに対して視覚的に情報を報知するためのものであり、例えば、ＬＣＤ（液晶ディスプレイ：Liquid Crystal Display）などの表示画面や、表示画面に情報を表示するための表示用ドライバなどを含むものである。
【００１９】
また、音声入力部１６は、マイクロホンなどのユーザが音声を入力するためのものである。なお、携帯型楽器端末１０が通話機能を有する場合には、通常の携帯電話機などと同様に、例えば、送話口付近に音声入力部１６が設置される。また、音声出力部１７は、スピーカなどのユーザに対して聴覚的に情報を報知するためのものである。なお、音声出力部１７は、例えば、パネルスピーカによって実現可能であり、また、携帯型楽器端末１０が通話機能を有する場合には、通常の携帯電話機などと同様に、例えば、受話口付近に音声出力部１７が設置される。また、送受信部１８、電話回線網やパケット網などとの通信を行うものであり、携帯型楽器端末１０の通話機能やパケットデータ通信機能などを実現する。
【００２０】
また、複数の打撃入力部１９ａ〜１９ｎは、例えば、外部からの打撃を検知する打撃センサや圧力センサを含み、所定の広がりを持つ打撃面を有する打撃用パッドなどにより構成されており、外部からの打撃の検知結果（打撃検知信号）を出力するものである。また、複数の打撃検出部２０ａ〜２０ｎは、各打撃入力部１９ａ〜１９ｎのそれぞれに対応するものであり、各打撃入力部１９ａ〜１９ｎからの打撃検知信号を受けて、各打撃入力部１９ａ〜１９ｎに印加された打撃の圧力などを検出するものである。なお、ここでは、個数ｎの打撃入力部１９ａ〜１９ｎと打撃検出部２０ａ〜２０ｎとが配置されているが、この個数ｎは２以上の任意の数である。
【００２１】
次に、上記の本発明の第１から第４の実施の形態における携帯型楽器端末の動作について説明する。携帯型楽器端末１０は、ｎ個（ｎは２以上）の打撃入力部１９ａ〜１９ｎを有している。これらの各打撃入力部１９ａ〜１９ｎは、ユーザの指や掌などの身体の一部、あるいは特定の部材（例えば、棒状のスティックなど）を用いて打撃を与えることが可能なように、携帯型楽器端末１０の筐体や携帯型楽器端末１０に付設する特定の部材などに、外部に露出した状態で取り付けられる。
【００２２】
打撃入力部１９ａ〜１９ｎは、打撃センサ又は圧力センサなどにより構成されており、ユーザが、指やスティックなどによって印加した打撃に応じて、それぞれが対応している打撃検出部２０ａ〜２０ｎに対して、打撃検知信号を出力する。なお、打撃検知信号は、ユーザによって印加された打撃のタイミングやその打撃の強さ（圧力値）を含むことが望ましく、さらには、各打撃入力部１９ａ〜１９ｎの打撃面のどの箇所が打撃を受けたかを示す情報（例えば、各打撃入力部１９ａ〜１９ｎ上に設定された座標と、各座標における打撃の強さとの関係を示す情報）が含まれるようにすることも可能である。打撃入力部１９ａ〜１９ｎからの打撃検知信号を受けて、打撃検出部２０ａ〜２０ｎは、例えば、打撃検知信号をＡ／Ｄ変換してパルス信号に変換したり、圧力値を解析したりすることによって、ＣＰＵ１１に対して、ＣＰＵ１１で処理可能なデジタル信号を出力する。
【００２３】
一方、ＣＰＵ１１は、打撃検出部２０ａ〜２０ｎからのデジタル信号の入力待機状態にあり、複数の打撃検出部２０ａ〜２０ｎのそれぞれからデジタル信号が供給された場合には、各打撃入力部１９ａ〜１９ｎ及び打撃検出部２０ａ〜２０ｎに対応してあらかじめ設定されている音色や音程の音声データを生成し、打撃の強さに応じた音圧レベル（音量レベル）を示す音圧制御信号と音声データとを、音声出力部１７に出力する。音声出力部１７は、音声制御信号に応じた音声データの増幅を行い、音声データを出力音声に変換して外部に出力する。これによって、各打撃入力部１９ａ〜１９ｎに印加された打撃のタイミングや強さに応じて、所定の音色や音程を有する音声が音声出力部１７から出力される。なお、ＣＰＵ１１は、複数の打撃検出部２０ａ〜２０ｎから受けたデジタル信号を並列処理できるよう構成され、音声処理部１７から一度に複数の音声を出力できるようにすることが望ましい。
【００２４】
また、ＣＰＵ１１が受けるデジタル信号内に、各打撃入力部１９ａ〜１９ｎのどの箇所が打撃を受けたかを示す情報が含まれている場合には、ＣＰＵ１１は、さらに、その詳細な打撃箇所に係る情報を加味して音声データを生成することも可能である。例えば、各打撃入力部１９ａ〜１９ｎ及び打撃検出部２０ａ〜２０ｎに対応した音色や音程の音声データに対して、詳細な打撃箇所に応じた変調を行って、新たな音声データを生成することによって実現可能である。
【００２５】
また、各打撃入力部１９ａ〜１９ｎに対応してあらかじめ設定されている音色や音程に関して、例えば、各打撃入力部１９ａ〜１９ｎとそれぞれの音色や音程などの対応関係を示す楽器情報をＲＯＭ１２やＲＡＭ１３などに格納しておき、ユーザが、操作部１４の操作によって、これらの楽器情報を選択し設定できるようにすることが望ましい。すなわち、ＲＯＭ１２やＲＡＭ１３などに、複数の打楽器によって構成されるドラム、ティンバレス、コンガ、ボンゴ、タブラなどの様々な打楽器の音色や音程に係る情報を格納しておき、例えば、ユーザがコンガを選択した場合には、複数の打撃入力部１９ａ〜１９ｎのそれぞれに異なる音程のコンガ（実際には、大きさ（音程）によってキント、トゥンバなどと呼び分けされている）の音色を設定することによって、ユーザは、簡単に携帯型楽器端末１０を好みの打楽器に設定することが可能となる。
【００２６】
上記の楽器選択では、各打楽器における標準のチューニング（音程設定）に従って音程が設定されることが望ましいが、例えば、演奏ジャンルなどによっては、標準のチューニングとは異なる音程設定を行うことが必要な場合がある。このような場合を考慮して、各打撃入力部１９ａ〜１９ｎに対応する音程をユーザが個別に調節できるようにすることが好ましい。
【００２７】
また、実際の打楽器は一般的に動物の皮などが円形状に張られた打撃部を有しており、円形状の打撃部の中心部は、周縁部に比べてテンションが低く、低い音程を発する。このような１つの打撃部における打撃箇所の違いによる音質や音程の違いを考慮し、各打撃入力部１９ａ〜１９ｎにおける詳細な打撃箇所に応じて、異なる音質や音程の音声データを生成し、音声として出力することも可能である。また、こうした打撃箇所による音質や音程の設定に関して、ユーザが自分の好みのものに設定できるようにすることも可能である。
【００２８】
また、各打撃入力部１９ａ〜１９ｎに印加される打撃によって生成される音声データに係る情報を、送受信部１８を介して、他の通信装置に送信することも可能である。また、その逆に、他の通信装置から音声データを受信して、音声出力部１７から出力することも可能であり、これによって、送受信部１８による通信を介して、他の楽器端末とのセッションを行うことも可能である。
【００２９】
また、上記では、各打撃入力部１９ａ〜１９ｎを楽器演奏用として利用しているが、操作部１４と同様に、ユーザが携帯型楽器端末１０における処理の指示を行ったり情報を入力したりするための情報入力用の操作手段として利用することも可能である。この場合、各打撃入力部１９ａ〜１９ｎに印加される打撃のパターンと、携帯型楽器端末１０における処理との対応関係を設定しておき、複数の打撃入力部１９ａ〜１９ｎのうちの所定の１つが叩かれた場合に、電子メール作成用の画面を表示したり、特定の相手への通話を開始したりする処理を行うように構成することも可能である。
【００３０】
また、複数の打撃入力部１９ａ〜１９ｎの組み合わせ（所定の打撃パターン）による打撃に応じて、携帯型楽器端末１０の所定の内部処理が起動できるようにすることにより、ユーザは、様々な打撃パターンを行うことによって、携帯型楽器端末１０に対して様々な内部処理の起動指示を行うことが可能となる。さらに、特定の打撃パターンを検知した場合のみ特定の内部処理（例えば、スケジュール帳や電話帳の表示などの個人情報に係る処理）を起動する設定を可能とすることによって、特定の打撃パターンをパスフレーズとした特定の内部処理の起動管理を実現することが可能となる。
【００３１】
また、携帯型楽器端末１０の内部処理の起動だけでなく、打撃パターンとＦＥＰ（Front End Processor：文字入力システム）の入力文字設定や漢字変換設定などとの対応関係を設定してもよく、これによって、ユーザは、打楽器を演奏するようにして文字入力を行うことが可能となる。
【００３２】
また、各打撃入力部１９ａ〜１９ｎの不意の打撃による突発的な音声発生や思わぬ内部処理の起動などを防ぐため、各打撃入力部１９ａ〜１９ｎにおける打撃の検知処理や打撃検知結果の処理などのＯＮ／ＯＦＦの切り換えが行えるようにすることも可能である。また、各打撃入力部１９ａ〜１９ｎの打撃によって出力される音量の調節やミュート機能などを設けることも可能である。
【００３３】
次に、本発明の第１から第４の実施の形態のそれぞれにおける携帯型楽器端末１０の外観及び使用の態様について説明する。
【００３４】
＜第１の実施の形態＞
まず、図２〜図７を参照しながら、本発明の第１の実施の形態について説明する。図２は、本発明の第１の実施の形態における折り畳み式の携帯型楽器端末が折り畳まれた状態を示す斜視図であり、図３は、本発明の第１の実施の形態における折り畳み式の携帯型楽器端末を開いた状態を示す斜視図であり、図４は、図３に示す折り畳み式の携帯型楽器端末の上下を逆にした状態を示す斜視図である。
【００３５】
図２〜図４に示す携帯型楽器端末１０は、本体部２１及び蓋部２２がヒンジ部２３によって開閉可能な折り畳み構造を有している。図２及び図３に示すように、本体部２１には、へら状部材２５が軸部２４を中心として回動可能なように取り付けられている。また、本体部２１、蓋部２２、へら状部材２５のそれぞれには、折り畳み状態で外部に露出する側（背面側と呼ぶことにする）に打撃用パッド２６ａ〜２６ｃが取り付けられている。また、図４に示すように、本体部２１には操作ボタン２７が、蓋部２２には表示画面２８が、それぞれ携帯型楽器端末１０が折り畳み状態となった場合に対向して外部から隠れる面に設けられている。なお、打撃用パッド２６ａ〜２６ｃは図１に示す打撃入力部１９ａ〜１９ｎに、操作ボタン２７は図１に示す操作部１４に、表示画面２８は図１に示す表示部１５にそれぞれ対応するものである。また、ここでは、打撃用パッド２６ａ〜２６ｃが３つの場合に関して図示されているが、この打撃用パッド２６ａ〜２６ｃの個数は任意であり、例えば、複数のへら状部材２５を設けて、各へら状部材２５にさらに打撃用パッドを取り付けてもよい。
【００３６】
また、図５は、図２に示す折り畳み式の携帯型楽器端末の平面図であり、図６は、図５に示す折り畳み式の携帯型楽器端末のへら状部材を９０°回動させた状態を示す平面図であり、図７は、図６に示す折り畳み式の携帯型楽器端末を開いた状態を示す平面図である。図５〜図７に示すように、携帯型楽器端末１０を、折り畳み状態から、へら状部材２５を所定の角度だけ回動させた後に折り畳み構造を開くことによって、略同一方向を向いた打撃用パッド２６ａ〜２６ｃを軸部２４を中心として三方に広がった状態とすることが可能である。
【００３７】
そして、三方に広がった打撃用パッド２６ａ〜２６ｃの面が略水平となるようにし、例えば、図７に示す携帯型楽器端末１０の左側がユーザの身体に向くようにすることによって、ユーザの身体を中心として略放射状に各打撃用パッド２６ａ〜２６ｃが配置され、様々な打楽器に見られる特徴的な配置を実現することができる。なお、図面では、本体部２１や蓋部２２よりも小さいへら状部材２５が図示されているが、本体部２１や蓋部２２と同一形状のものを用いることも可能である。また、図６や図７では、へら状部材が折り畳み状態から９０°回動した状態を図示しているが、この角度は、ユーザの好みによって自由に設定することが可能である。
【００３８】
＜第２の実施の形態＞
次に、図８、図９を参照しながら、本発明の第２の実施の形態について説明する。図８は、本発明の第２の実施の形態におけるスライド式の携帯型楽器端末の収納状態を示す斜視図であり、図９は、図８に示すスライド式の携帯型楽器端末のへら状部材を６０°回動させ、蓋部を１２０°回動させた状態を示す平面図である。図８に示す携帯型楽器端末１０は、本体部３１、蓋部３２、へら状部材３３が、それぞれ軸部３４によって回動可能（スライド可能）なスライド構造を有している。なお、図８、図９に示す携帯型楽器端末１０はスライド式であり、折り畳み式のように開閉動作は行わないので蓋部３２という呼び方は適切ではないかもしれないが、第１の実施の形態との比較を考慮して、携帯型楽器端末１０の筐体を形成する各部材を本体部３１及び蓋部３２と呼ぶことにする。
【００３９】
上記の第１の実施の形態における携帯型楽器端末１０と同様、第２の実施の形態における携帯型楽器端末１０の本体部３１、蓋部３２、へら状部材３３のそれぞれに、打撃用パッド３５ａ〜３５ｃが取り付けられている。ただし、図８に示す携帯型楽器端末１０は、軸部３４を中心として本体部３１、蓋部３２、へら状部材３３のすべてが同一方向（軸部３４の作る方向）の垂線を有する面内で回転する構造であり、本体部３１、蓋部３２、へら状部材３３をそれぞれスライドさせた場合に打撃用パッド３５ａ〜３５ｃが同じ向きに露出されるように、打撃用パッド３５ａ〜３５ｃは、積層構造をなす本体部３１、蓋部３２、へら状部材３３の同一面側に取り付けられている。
【００４０】
図８に示す携帯型楽器端末１０の本体部３１、蓋部３２、へら状部材３３のそれぞれを、軸部３４を中心としてスライドさせた場合には、例えば、図７に示す平面図と同一の状態にすることが可能となる。ただし、第１の実施の形態における携帯型楽器端末１０はヒンジ部２３を中心として本体部２１及び蓋部２２が回動するため、図７に示すように蓋部２２を開いた状態では、ヒンジ部２３の回動軸方向の中心点から本体部２１の打撃用パッド２６ａの中心部とを結ぶ線と、ヒンジ部２３の回動軸方向の中心点から蓋部２２の打撃用パッド２６ｂの中心部とを結ぶ線とによって形成される角度が略１８０°に固定されてしまう一方、第２の実施の形態における携帯型楽器端末１０は、軸部３４を中心として、本体部３１、蓋部３２、へら状部材３３が自在に回動可能な構造となっている。したがって、例えば、図９に示すように、軸部３４と打撃用パッド３５ａ〜３５ｃのそれぞれの中心部とを結ぶ線を、任意の角度に設定する（図９では、それぞれの角度を６０°に設定している）ことも可能であり、第２の実施の形態における携帯型楽器端末１０は、第１の実施の形態における携帯型楽器端末１０よりも、より自由に打撃用パッド３５ａ〜３５ｃの配置を変えることが可能であると言える。
【００４１】
＜第３の実施の形態＞
次に、図１０〜図１５を参照しながら、本発明の第３の実施の形態について説明する。図１０は、本発明の第３の実施の形態における折り畳み式の携帯型楽器端末が折り畳まれた状態を示す斜視図であり、図１１は、本発明の第３の実施の形態における折り畳み式の携帯型楽器端末を開いた状態を示す斜視図であり、図１２は、図１１に示す折り畳み式の携帯型楽器端末の上下を逆にした状態を示す斜視図である。
【００４２】
図１０〜図１２に示す携帯型楽器端末１０は、本体部４１及び蓋部４２がヒンジ部４３によって開閉可能な折り畳み構造を有している。また、図１０及び図１１に示すように、本体部４１、蓋部４２のそれぞれには、中空構造を有する収納部材４４ｃ、４４ｄが背面側に取り付けられている。この収納部材４４ｃ、４４ｄは、例えば、本体部４１及び蓋部４２の背面と平行な円状の面を形成しており、この面上に、外部に露出するように打撃用パッド４５ａ、４５ｂが取り付けられている。収納部材４４ｃ、４４ｄの中空構造によって形成される空隙には、軸部４６ｃ、４６ｄによって回動可能なよう固定された打撃用パッド４５ｃ、４５ｄを収納することができるように構成されている。すなわち、打撃用パッド４５ｃ、４５ｄは、収納部材４４ｃ、４４ｄの中空構造によって形成される空隙の大きさよりも小さいものである。また、図１２に示すように、本体部４１には操作ボタン４７が、蓋部４２には表示画面４８が、それぞれ携帯型楽器端末１０が折り畳み状態となった場合に対向して外部から隠れる面に設けられている。
【００４３】
また、図１３は、図１０に示す折り畳み式の携帯型楽器端末の平面図であり、図１４は、図１１に示す折り畳み式の携帯型楽器端末を開いた状態の平面図であり、図１５は、図１４に示す折り畳み式の携帯型楽器端末の収納部材内から打撃用パッドを露出させた状態を示す平面図である。図１３〜図１５に示すように、携帯型楽器端末１０を、折り畳み状態から開いた状態として、収納部材４４ｃ、４４ｄから打撃用パッド４５ｃ、４５ｄを外部に露出させることによって、打撃用パッド４５ａ〜４５ｄのすべてが略同一方向を向いた状態で露出させることが可能である。
【００４４】
そして、三方に広がった打撃用パッド４５ａ〜４５ｄの面が略水平となるようにし、例えば、図１５に示す携帯型楽器端末１０の左側がユーザの身体に向くようにすることによって、ユーザの身体を中心として略放射状に各打撃用パッド４５ａ〜４５ｄが配置され、様々な打楽器に見られる特徴的な配置を実現することができる。なお、軸部４６ｃ、４６ｄを中心とした回動角は任意に設定可能であり、ユーザの好みによって、任意の回動角において打撃用パッド４５ｃ、４５ｄを固定することが可能である。
【００４５】
＜第４の実施の形態＞
次に、図１６、図１７を参照しながら、本発明の第４の実施の形態について説明する。図１６は、本発明の第４の実施の形態における折り畳み式の携帯型楽器端末を開いた状態を示す斜視図であり、図１７は、図１６に示す折り畳み式の携帯型楽器端末において打撃用パッドを取り出す様子を示す平面図である。図１６、図１７に示す携帯型楽器端末１０は、本体部５１及び蓋部５２がヒンジ部５３によって開閉可能な折り畳み構造を有している。また、図１６、図１７に示すように、本体部５１、蓋部５２のそれぞれには、中空構造を有する収納部材５４ｃ、５４ｄが背面側に取り付けられている。この収納部材５４ｃ、５４ｄは、例えば、本体部５１及び蓋部５２の背面と平行な円状の面を形成しており、この面上に、外部に露出するように打撃用パッド５５ａ、５５ｂが取り付けられている。これらの構造は、上述の第３の実施の形態における携帯型楽器端末１０と同一であるが、この第４の実施の形態における携帯型楽器端末１０には、図１０〜図１５に示す携帯型楽器端末１０が有している軸部４６ｃ、４６ｄは設けられておらず、収納部材５４ｃ、５４ｄの中空構造によって形成される空隙に、打撃用パッド５５ｃ、５５ｄが嵌合した状態で収納される構成となっている。
【００４６】
また、打撃用パッド５５ｃ、５５ｄは、例えば、ブルートゥースなどの近距離無線通信によって、本体部５１又は蓋部５２に設けられた所定の通信インターフェイスと通信を行うよう構成されており、打撃用パッド５５ｃ、５５ｄから出力される打撃検知信号は、近距離無線通信を介して、それぞれに対応している打撃検出部２０ａ〜２０ｎに供給される。
【００４７】
このように無線通信によって打撃用パッド５５ｃ、５５ｄが携帯型楽器端末１０から分離できるようにしたことによって、打撃用パッド５５ｃ、５５ｄを携帯型楽器端末１０から離れた場所に設置することが可能となり、例えば、収納部材５４ｃ、５４ｄに取り付けられた打撃用パッド５５ａ、５５ｂをスネアやタムの位置に配置し、任意の場所に配置可能な打撃用パッド５５ｃ、５５ｄをハイハットやバスペダルの位置に配置することで、ドラムセットの打撃場所を正確に再現することができる。
【００４８】
また、上記の第１〜第４の実施の形態において、ユーザが両手で演奏を行うことができるように、携帯型楽器端末１０の形状をユーザの身体に合わせたデザインにしたり、携帯型楽器端末１０をユーザの身体やその他の物体などに固定するための固定用部材などを設けたりすることも可能である。図１８は、図１１に示す携帯型楽器端末に、ユーザが両足で挟んで携帯型楽器端末を固定するため固定用部材を設けた場合を示す斜視図である。この固定用部材６１は、例えば透明アクリル板などによって構成されており、蓋部４２と同様にヒンジ部４３によって回動可能である。ユーザが座った状態で両足の腿の上に携帯型楽器端末１０をおいて演奏を行う場合、ユーザは、両足の腿でこの固定用部材６１を挟み込んで、携帯型楽器端末１０を固定することが可能である。
【産業上の利用可能性】
【００４９】
以上説明したように、本発明の携帯型楽器端末は、携帯性やデザイン性に優れ、ドラムやパーカッションなどを始めとした打楽器の本格的な演奏が楽しめるという効果を有し、携帯電話機やＰＨＳ、ＰＤＡなどを始めとした持ち運び可能な携帯端末に、さらに、本格的な演奏を楽しめる楽器の機能を付加した携帯型楽器端末として有用である。
【図面の簡単な説明】
【００５０】
【図１】本発明の第１〜第４の実施の形態に共通する携帯型楽器端末の内部構成を示すブロック図
【図２】本発明の第１の実施の形態における折り畳み式の携帯型楽器端末が折り畳まれた状態を示す斜視図
【図３】本発明の第１の実施の形態における折り畳み式の携帯型楽器端末を開いた状態を示す斜視図
【図４】図３に示す折り畳み式の携帯型楽器端末の上下を逆にした状態を示す斜視図
【図５】図２に示す折り畳み式の携帯型楽器端末の平面図
【図６】図５に示す折り畳み式の携帯型楽器端末のへら状部材を９０°回動させた状態を示す平面図
【図７】図６に示す折り畳み式の携帯型楽器端末を開いた状態を示す平面図
【図８】本発明の第２の実施の形態におけるスライド式の携帯型楽器端末の収納状態を示す斜視図
【図９】図８に示すスライド式の携帯型楽器端末のへら状部材を６０°回動させ、蓋部を１２０°回動させた状態を示す平面図
【図１０】本発明の第３の実施の形態における折り畳み式の携帯型楽器端末が折り畳まれた状態を示す斜視図
【図１１】本発明の第３の実施の形態における折り畳み式の携帯型楽器端末を開いた状態を示す斜視図
【図１２】図１１に示す折り畳み式の携帯型楽器端末の上下を逆にした状態を示す斜視図
【図１３】図１０に示す折り畳み式の携帯型楽器端末の平面図
【図１４】図１１に示す折り畳み式の携帯型楽器端末を開いた状態の平面図
【図１５】図１４に示す折り畳み式の携帯型楽器端末の収納部材内から打撃用パッドを露出させた状態を示す平面図
【図１６】本発明の第４の実施の形態における折り畳み式の携帯型楽器端末を開いた状態を示す斜視図
【図１７】図１６に示す折り畳み式の携帯型楽器端末において打撃用パッドを取り出す様子を示す平面図
【図１８】図１１に示す携帯型楽器端末に、ユーザが両足で挟んで携帯型楽器端末を固定するため固定用部材を設けた場合を示す斜視図
【符号の説明】
【００５１】
１０  携帯型楽器端末
１１  ＣＰＵ
１２  ＲＯＭ
１３  ＲＡＭ
１４  操作部
１５  表示部
１６  音声入力部
１７  音声出力部
１８  送受信部
１９ａ〜１９ｎ  打撃入力部
２０ａ〜２０ｎ  打撃検出部
２１、３１、４１、５１  本体部
２２、３２、４２、５２  蓋部
２３、４３、５３  ヒンジ部
２４、３４、４６ｃ、４６ｄ  軸部
２５、３３  へら状部材
２６ａ〜２６ｃ、３５ａ〜３５ｃ、４５ａ〜４５ｄ、５５ａ〜５５ｄ  打撃用パッド
２７、４７  操作ボタン
２８、４８  表示画面
４４ｃ、４４ｄ、５４ｃ、５４ｄ  収納部材
６１  固定用部材
【図１】
2005084503.tif 000003
【図２】
2005084503.tif 000004
【図３】
2005084503.tif 000005
【図４】
2005084503.tif 000006
【図５】
2005084503.tif 000007
【図６】
2005084503.tif 000008
【図７】
2005084503.tif 000009
【図８】
2005084503.tif 000010
【図９】
2005084503.tif 000011
【図１０】
2005084503.tif 000012
【図１１】
2005084503.tif 000013
【図１２】
2005084503.tif 000014
【図１３】
2005084503.tif 000015
【図１４】
2005084503.tif 000016
【図１５】
2005084503.tif 000017
【図１６】
2005084503.tif 000018
【図１７】
2005084503.tif 000019
【図１８】
2005084503.tif 000020